(57)【要約】【課題】本発明は、小型のランプソケットであってもがたつきを抑制することができるソケットカバーおよび照明器具を提供する。【解決手段】本実施形態によれば、保持バネ６を用いて蛍光ランプ３へ取り付け固定するソケットカバー５において、そのソケットカバー本体５１に設けられた位置決めリブ５８および背面リブ５９，５９により、ランプソケット４の幅寸法が蛍光ランプ３の径と略同程度のものであってもソケットカバー５を適正な位置に位置決め配置することができ、外観を損ねることを抑制することができる。【選択図】図４
2005019354.tif 000002
【特許請求の範囲】
【請求項１】
傾斜状の反射面を有する器具本体の反射板に取り付けられるとともに、器具本体の反射面と当接することで閉塞する器具本体側の面および一端面とが開放され、かつ、この一端面と対向する背面壁および側壁部で形成された蛍光ランプの端部とランプソケットとを収納する収納部を有するソケットカバー本体と；
ソケットカバー本体内に設けられ、蛍光ランプの端部を傾斜状の反射面とは直交しない方向から挿入することでその径方向両側から挟持する挟持部を有する保持バネと；
ソケットカバー本体内の背面壁と保持バネとの間であって、ランプソケットの上部側を位置決めするために設けられる位置決め部と；
ソケットカバー本体の背面壁と収納部に収納されるランプソケットの外端面との隙間を無くするように位置し、背面壁にその背面壁の高さ方向に延びるように設けられた背面リブと；
を具備することを特徴とするソケットカバー。
【請求項２】
ソケットカバー本体の収納部には、収納されるランプソケットの側面と近接ないし当接するような一対の側面リブが設けられていることを特徴とする請求項１記載のソケットカバー。
【請求項３】
一対の傾斜状の反射面を有する反射板、この反射板から突設するように設けられるランプソケットを具備する照明器具本体と；
ランプソケットに設けられる蛍光ランプと；
器具本体に設けられる請求項１または２記載のソケットカバーと；
を具備することを特徴とする照明器具。
【発明の詳細な説明】
【０００１】
【発明の属する技術分野】
本発明は、ランプソケットを覆うソケットカバーおよび照明器具に関する。
【０００２】
【従来の技術】
従来、直管形の蛍光ランプが露出して設けられる照明器具においては、その体裁をよくするためにソケットカバーを備えるものが知られている（例えば特許文献１参照）。
【０００３】
特許文献１に記載のもので、特にその図６〜１１に示されている技術は、一対の傾斜状の反射面を有する反射板からなる照明器具が開示されており、この照明器具のランプソケットおよび蛍光ランプの端部を覆い隠すソケットカバーが記載されている。
【０００４】
この特許文献１記載のソケットカバーを詳述すると、合成樹脂製のソケットカバー本体はこの内部に属製の保持バネを配置し、かつ、器具本体側の面および一端面は夫々開放されているものである。そして、このソケットカバー本体の相対向する側壁内面にはソケットカバー本体の高さ方向に延びるリブ（１２、３４）が夫々突設され、これらリブとソケットカバー本体の背面壁との間の空間部にランプソケットが収容されるようになっている。
【０００５】
なおこのリブ（１２、３４）は、ソケットカバーにおける蛍光ランプの軸方向のがたつきや、保持バネの挟持部を中心とした回転方向のがたつきも防ぐために設けられているものである。
【０００６】
【特許文献１】特開平９−１６７５１６号公報（図６〜図１１参照）
【０００７】
【発明が解決しようとする課題】
しかしながら、近年、ランプソケットは小形化が進んでおり、蛍光ランプの径とランプソケットの幅方向の寸法とが同等ないしランプソケットの幅寸法の方が小さいものが実施されている。
【０００８】
このようなランプソケットであると特許文献１のようなリブ（１２、３４）は寸法的に設けることが不可能となるので、保持バネを蛍光ランプに挟持させて取り付ける方法のソケットカバーにおけるがたつきを抑制できる構成がなかった。
【０００９】
本発明は上記に鑑みてなされたものであり、小型のランプソケットであってもがたつきを抑制することができるソケットカバーおよび照明器具を提供することを目的とする。
【００１０】
【課題を解決するための手段】
請求項１記載のソケットカバーは、傾斜状の反射面を有する器具本体の反射板に取り付けられるとともに、器具本体の反射面と当接することで閉塞する器具本体側の面および一端面とが開放され、かつ、この一端面と対向する背面壁および側壁部で形成された蛍光ランプの端部とランプソケットとを収納する収納部を有するソケットカバー本体と；ソケットカバー本体内に設けられ、蛍光ランプの端部を傾斜状の反射面とは直交しない方向から挿入することでその径方向両側から挟持する挟持部を有する保持バネと；ソケットカバー本体内の背面壁と保持バネとの間であって、ランプソケットの上部側を位置決めするために設けられる位置決め部と；ソケットカバー本体の背面壁と収納部に収納されるランプソケットの外端面との隙間を無くするように位置し、背面壁にその背面壁の高さ方向に延びるように設けられた背面リブと；を具備することを特徴とする。
【００１１】
請求項１記載のソケットカバーは、蛍光ランプの端部およびランプソケットを収容する収納部の保持バネの挟持部で蛍光ランプを挟持することによって、装着状態を維持する。こうしたソケットカバーの取付け作業において、保持バネの挟持部は器具本体の傾斜状の反射面とは直交しない方向から蛍光ランプへ装着することになる。
【００１２】
したがって、蛍光ランプを挟持する保持バネによる吸い上げ力は、傾斜状の反射面とは直交するような方向に生じないことになるので、反射面上に設けるソケットカバーは反射面に沿って摺動しやすくなりがたつきが生じやすくなるが、このとき、ソケットの上部と位置決めされる位置決め部によってソケットカバーの配設位置が定まる。さらに、位置決め部に加えてランプソケットの外端面と当接ないし近接する背面リブを設けることによってソケットカバーが蛍光ランプの軸方向にがたつくことや、保持バネの挟持部を中心とした回転方向のがたつきを抑制させる。
【００１３】
本発明によれば、傾斜状の反射面を有する器具本体にソケットカバーを取着する場合であっても容易にがたつきを抑制することができる。また、ランプソケットが小型のものであってもソケットカバーのがたつきを抑制する構成を実現することができる。
【００１４】
請求項２のソケットカバーは、請求項１記載のソケットカバーにおいて、ソケットカバー本体の収納部には、収納されるランプソケットの側面と近接ないし当接するような一対の側面リブが設けられていることを特徴とする。
【００１５】
請求項２の発明によれば、側壁にもリブを設けたので，ソケットカバーのがたつきをより抑制することができことになる。
【００１６】
請求項３の照明器具は、一対の傾斜状の反射面を有する反射板、この反射板から突設するように設けられるランプソケットを具備する照明器具本体と；ランプソケットに設けられる蛍光ランプと；器具本体に設けられる請求項１または２記載のソケットカバーと；を具備することを特徴とする。
【００１７】
請求項３の照明器具によれば、請求項１または２記載の作用を有する。
【００１８】
【発明の実施の形態】
本発明の一実施形態を図面を参照して説明する。図１は本実施形態の照明器具を示す一部断面図底面図、図２は本実施形態のソケットカバー本体を示す説明図、図３は本実施形態の保持バネを示す正面図、図４は本実施形態のソケットカバーを示す説明図、図５は本実施形態の照明器具を示す斜視図である。
【００１９】
照明器具１は、器具本体２、蛍光ランプ３、ランプソケット４、ソケットカバー５等で形成されている。
【００２０】
器具本体２は、金属製であって図示しない天井面等に設置されるものであり、この下面には図示しない放電灯安定器、端子台、スイッチ等の電気部品、および複数の反射板取付け金具等が取付けられるとともに、その長手方向両端部には板金を折り曲げてなるソケット取付け金具２１が取付けられている。  また器具本体２は、反射板取付け金具に螺合される図示しない複数の化粧ねじを介して板金製の反射板２２が取付けられている。この反射板２２は器具本体２全体を覆い隠して設けられるものであって一対の傾斜状の反射面２３を有しているものであって、その傾斜状の反射面２３の長手方向両端部にはソケット取付け金具２１と対向するソケット通孔２４が夫々開けられている。そして、図１に示されるようにソケット取付け金具２１に固定されたランプソケット４は、ソケット通孔２４を通って反射面２３より下方に突出されている。これら長手方向に相対向するランプソケット４には、これらに渡って設けられる直管形の蛍光ランプ３の端部が着脱可能に接続されている。
【００２１】
このように両端支持された蛍光ランプ３の端部３１とこれを支持したランプソケット４とは、これらを収容するソケットカバー５で覆われている。
【００２２】
次にソケットカバー５について図２，３，４を用いて説明する。なお、図２の（ａ）はソケットカバー本体を示す正面図、（ｂ）はソケットカバー本体を示す側面断面図、図４の（ａ）はソケットカバーを示す正面図、（ｂ）はソケットカバーを示す側面断面図である。
【００２３】
ソケットカバー５は、合成樹脂製のソケットカバー本体５１内の収納部５２を形成するとともに、保持バネ６が設けられている。
【００２４】
またソケットカバー５は、図２および図４に示されるようにソケットカバー本体５１の一端面５３は開放されているとともに、これに連なる器具本体２および反射板２２側の面５４は開放されている。この面５４は、器具本体２の反射板２２と当接することで閉塞するように形成されているものである。
【００２５】
またソケットカバー本体５１の底部５５は円弧状をなしており、ソケットカバー本体５１をその一端開放面５３側から見ると、ランプソケット４の外形形状に準じ、これよりも一回り大形の略Ｕ字状をなしている。
【００２６】
またソケットカバー本体５１は、一端面５３と対向する背面壁５６と円弧状で形成されている側壁部５７によって収納部５２を形成しており、一端開口面５３側の底壁内面には保持バネ嵌合用突部５３ａ、ストッパ５３ｂが一体に形成されている。
【００２７】
またソケットカバー本体５１には、底壁内面であって保持バネ嵌合用突部５２ａと略同列に位置し、収納部５２側に突出する位置決め部である位置決めリブ５８が形成されている。
【００２８】
またソケットカバー本体５１は、背面壁５６にその背面壁５６の高さ方向に延びる背面リブ５９，５９が２箇所に形成されている。この各々の背面リブ５９は、位置決めリブ５８からみて左右の位置に設けられているものであり、この背面リブ５９は、後述するランプソケット４の外端面４４と当接ないし近接するように設けている。
【００２９】
保持バネ６は、図３に示すように、帯状のばね板を略Ｕ字状に曲げるとともに、その両端部を互いに遠ざかるように折り曲げてなる斜状部６１を有している。これら逆ハ状に配置される斜状部６１を設けたことによって、保持バネ６には一対の相対向する端部曲り部６２が形成されている。保持バネ６の自由状態において端部曲り部６２は、蛍光ランプ３のランプ径Ａ（図４参照）より狭い離間距離Ｂをもって対向するようになっている。
【００３０】
また保持バネ６は、その中央部６４がソケットカバー本体５１の底部形状に準じて円弧状に曲げられている。そして、この中央部６４をソケットカバー本体５１の一端面側５３から挿入して保持バネ嵌合用突部５３ａの溝部に挿入、かつ、ストッパ５３ｂを乗り越えて各々に嵌合保持されることで収納部５２に収納／固定される。
【００３１】
ランプソケット４は、図１に示すように、蛍光ランプ３の径よりも幅寸法は略同等に形成されている挟み込み式のものである。また、このランプソケット４が支持する蛍光ランプ３の回動に伴って、この蛍光ランプ３のランプピンを介して回転される回転子４１を備えるものである。
【００３２】
回転子４１は、ランプピンの挿脱を許す姿勢から略９０°回転されることにより、蛍光ランプ３が不用意に脱落することを防止し、蛍光ランプ３を正しい取付け姿勢に保持する。
【００３３】
また回転子４１およびランプソケット本体５１には、ランプピンの挿脱を許すために前端に開放するスリット４３を各々備えているものである。
【００３４】
このように、回転子４１を備えたランプソケット４は、その蛍光ランプ３の着脱方式により、図１に示すように、蛍光ランプ３取り付け前はスリット４３が略下方に向いている状態が好ましいので、ランプソケット４はこのスリット４３が略下方に向かうように器具本体２のソケット取付金具２１に取着されている。
【００３５】
したがって、ランプソケット４は、反射板２２のソケット通孔２４から、反射板２２の反射面２３とは直交しない方向に突出されていることになる。
【００３６】
本実施形態のソケットカバー５は、その器具本体１の反射板２２側の開放面５４を蛍光ランプ３の端部３１およびランプソケット４に臨ませて、これらに被せることにより取付けられる。図１中矢印にソケットカバー５の取付け方向を示す。
【００３７】
詳述すると、この取付けにおいて、はじめに保持バネ６の斜状部６１が蛍光ランプ３の端部にあたるので、保持バネ６は弾性変形を伴って押し開かれる。そして、蛍光ランプ３の端部下半分が端部曲り部６２を乗り越えると同時に、保持バネ６が元の自由状態となるように急速に復元しようとするから、図１，３に示されるように保持バネ６が蛍光ランプ３の端部をその径方向両側から弾性的に挟持するとともに、略上方に向かって吸い上げ力を生じ、それによって、ソケットカバー５は、その内部に蛍光ランプ３の端部３１およびランプソケット４を収容して、蛍光ランプ３に取付け保持されるものである。
【００３８】
さらに、蛍光ランプ３に取り付け保持されたソケットカバー５は、その収納部５２に形成されている位置決めリブ５８がランプソケット本体４２のスリット４３内に係合するように微調整することで位置決めを行い、このように位置決めされると、背面リブ５９、５９がランプソケット４の外端面４４の幅方向両側と略隙間なく配設されるようになっている。
【００３９】
また、このソケットカバー５の取外しは、このソケットカバー５を取付け方向とは逆方向に引き外すことで行うことができる。
【００４０】
ところで、ソケットカバー５は、保持バネ６が蛍光ランプ３に直接挟持することで取り付け固定されるものである。すなわち、保持バネ６の端部曲り部６２間を結ぶ線に対して直交する方向（本実施形態の図１でいうと器具本体２の取り付け面方向）へ吸い上げ力が発生する。したがって、本実施形態のような反射板２２およびランプソケット４の構成であると、保持バネ５の挟持部６３を中心とした回転方向のがたつき、すなわち、ソケットカバー５が反射面２３の傾斜面に沿った方向にずれるようながたつきが発生しやすくなる。さらに、また蛍光ランプ３のその軸方向のがたつきも発生する。
【００４１】
しかしながら、本実施形態においては、ランプソケット４の上端側と係合する位置決めリブ５８により蛍光ランプ３の軸方向のがたつきを抑制し、位置決めリブ５８と背面リブ５９，５９によって挟持部６３を中心とした回転方向のがたつきを抑制できるものとなっている。
【００４２】
本実施形態によれば、保持バネ６を用いて蛍光ランプ３へ取り付け固定するソケットカバー５において、そのソケットカバー本体５１に設けられた位置決めリブ５８および背面リブ５９，５９により、ランプソケット４の幅寸法が蛍光ランプ３の径と略同程度のものであってもソケットカバー５を適正な位置に位置決め配置することができ、外観を損ねることを抑制することができる。
【００４３】
さらにまた、反射板２２の反射面２３とランプソケット４とが直交しない状態で構成される器具本体２であっても適正な位置にソケットカバー５を配置することができる。
【００４４】
さらにまた、背面リブ５９、５９は、ランプソケット４の幅方向両側であって、かつ、高さ方向に位置することにより、保持バネ６の挟持部６３を中心とした回転方向のがたつきをより抑制することができる。
【００４５】
なお、本実施形態には明記していないが、ソケットカバー本体５１にはランプソケット４の側面と当接ないし近接する側面リブを設けてもよく、このようなリブを設けることでソケットカバーをより適正な位置に配置固定しやすくなる。
【００４６】
【発明の効果】
本発明によれば、傾斜状の反射面を有する器具本体の反射板に取り付けられるとともに、器具本体の反射面と当接することで閉塞する器具本体側の面および一端面とが開放され、かつ、この一端面と対向する背面壁および側壁部で形成された蛍光ランプの端部とランプソケットとを収納する収納部を有するソケットカバー本体と；ソケットカバー本体内に設けられ、蛍光ランプの端部を傾斜状の反射面とは直交しない方向から挿入することでその径方向両側から挟持する挟持部を有する保持バネと；ソケットカバー本体内の背面壁と保持バネとの間であって、ランプソケットの上部側を位置決めするために設けられる位置決め部と；ソケットカバー本体の背面壁と収納部に収納されるランプソケットの外端面との隙間を無くするように位置し、背面壁にその背面壁の高さ方向に延びるように設けられた背面リブと；を具備することにより、傾斜状の反射面を有する器具本体にソケットカバーを取着する場合であっても容易にがたつきを抑制することができる。また、ランプソケットが小型のものであってもソケットカバーのがたつきを抑制する構成を実現することができる。
【図面の簡単な説明】
【図１】第一実施形態の照明器具を示す一部断面図底面図
【図２】第一実施形態のソケットカバー本体を示す説明図
【図３】第一実施形態の保持バネを示す正面図
【図４】第一実施形態のソケットカバーを示す説明図
【図５】本実施形態の照明器具を示す斜視図
【符号の説明】
１・・・照明器具、２・・・器具本体、３・・・蛍光ランプ、４・・・ランプソケット、５・・・ソケットカバー、５８・・・位置決め部である位置決めリブ、５９・・・背面リブ
【図１】
2005019354.tif 000003
【図２】
2005019354.tif 000004
【図３】
2005019354.tif 000005
【図４】
2005019354.tif 000006
【図５】
2005019354.tif 000007